(57)【特許請求の範囲】
【請求項１】
処理流路(R)の中途にカートリッジ連結部(5)を設けた水処理部(1)を内蔵したケーシング(2)に、前記カートリッジ連結部(5)が臨み、かつ、複数種の水処理用カートリッジを選択的に着脱自在としたカートリッジ配設空間(Q)を形成し、
カートリッジ配設空間(Q)は、処理流路(R)に連通連結して使用する水処理用カートリッジと、同カートリッジ以外の使用状態にない水処理用カートリッジとを同時に収納可能であることを特徴とする水処理装置。
【請求項２】
複数種の水処理用カートリッジの少なくとも一つに、同カートリッジを通過する流量を一定に制御する定流量手段(90)を設けたことを特徴とする請求項１に記載の水処理装置。
【請求項３】
原水をアルカリ性水と酸性水とに電解する電解槽(7)を具備するとともに、複数種の水処理用カートリッジを、活性炭などを収納した浄水用カートリッジ(8)と、食塩などの電解質を収納した電解促進用カートリッジ(9)としたことを特徴とする請求項１又は２に記載の水処理装置。
【請求項４】
電解促進用カートリッジ(9)に定流量手段(90)を設けたことを特徴とする請求項３記載の水処理装置。
【請求項５】
処理流路(R)に連通連結したカートリッジが電解促進用カートリッジ(9)であるか、浄水用カートリッジ(8)であるかを識別する識別手段(97)を具備し、電解促進用カートリッジ(9)が装着されたことを識別すると、飲用に適さない強酸性水を生成可能な状態にあることを表示可能としたことを特徴とする請求項３又は４に記載の水処理装置。
【発明の詳細な説明】
【０００１】
【発明の属する技術分野】
この発明は、殺菌用消毒用などの衛生水となる酸性水、及び飲料水となるアルカリ性水を生成する電解水生成装置などのような水処理装置に関する。
【０００２】
【従来の技術】
従来、この種の水処理装置として、特開平８−３１８２７８号公報に開示されているようなイオン水生成器があった。
【０００３】
これは、一台のイオン水生成器で、飲用に適するるアルカリ性水（アルカリイオン水）、肌を引き締める効果があり、洗顔用などに適する弱酸性水（アストリンゼン水）、殺菌・消毒などに適する衛生水として強酸性水（殺菌水）を必要に応じて選択的に生成するもので、下記の構成を有するものである。
【０００４】
すなわち、上記イオン水生成器は、電解槽の流入口の上流側に被電解水に食塩を添加するための食塩添加手段を配置する一方、電解槽の流出口の下流側に、吐水側流路の一部から分岐したバイパス流路に電解水中の残留塩素を分解除去するための残留塩素除去手段を配置するとともに、吐水側流路とバイパス流路とを相互に切り替える流路切替弁を配置した構成としている。
【０００５】
かかる構成により、一台のイオン水生成器で、被電解水に食塩を添加して電解槽に送り、殺菌水を得ることができるとともに、被電解水に食塩を添加せずに電解槽に送り、かつ、流路切替弁を作動させて、残留塩素を除去したアルカリイオン水やアストリンゼン水を選択的に得ることができるようにしている。
【０００６】
【発明が解決しようとする課題】
ところが、上記したような殺菌水を生成できるようにした従来のイオン水生成器は、食塩添加手段を流路中に固定的に配設した構成であったために、構造が複雑になって、装置全体が大型化するという問題があった。
【０００７】
すなわち、被電解水に食塩を添加するための食塩添加手段は、電解槽の上流側において、水道水などの原水を導入するメイン流水経路から開閉弁を解して分岐させた食塩添加用バイパス流路に配置しており、殺菌水を生成する際にこの開閉弁を開成して被電解水に食塩を添加するようにしていた。
【０００８】
このように、従来では、食塩添加手段を流路中に固定的に配設する常設タイプとしているために、バイパス流路などが必要となって流路構成が複雑化するとともに、装置が大型化してしまい、省スペースの面で市場ニーズに逆行し、かつ、装置のコストとしても高くなっていた。
【０００９】
ところで、電解水の中で、飲用や洗顔用に供されるアルカリイオン水やアストリンゼン水は残留塩素を除去することが好ましく、他方、殺菌水では、逆に残留塩素を除去しない方が好ましい。
【００１０】
そこで、上記した従来技術では、電解槽の流出口の下流側において吐水側流路の一部から流路切替弁を介して分岐させたバイパス流路に残留塩素除去手段を設けた構成としている。
【００１１】
すなわち、流路構成をより複雑化してしまう結果になり、装置をコンパクト化することをより難しくしている。
【００１２】
このように、従来の技術では、一台のイオン水生成器において、殺菌水、アルカリイオン水、アストリンゼン水を選択的に得るには、装置の複雑化・大型化を避けることが極めて困難であった。
【００１３】
本発明は、上記課題を解決することのできるコンパクトな水処理装置を提供することを目的としている。
【００１４】
【課題を解決するための手段】
上記課題を解決するために、請求項１記載の本発明では、処理流路の中途にカートリッジ連結部を設けた水処理部を内蔵したケーシングに、前記カートリッジ連結部が臨み、かつ、複数種の水処理用カートリッジを選択的に着脱自在としたカートリッジ配設空間を形成した。
【００１５】
また、請求項１記載の本発明では、カートリッジ配設空間は、処理流路に連通連結して使用する水処理用カートリッジと、同カートリッジ以外の使用状態にない水処理用カートリッジとを同時に収納可能であることとした。
【００１６】
また、請求項２記載の本発明では、複数種の水処理用カートリッジの少なくとも一つに、同カートリッジを通過する流量を一定に制御する定流量手段を設けた。
【００１７】
また、請求項３記載の本発明では、原水をアルカリ性水と酸性水とに電解する電解槽を具備するとともに、複数種の水処理用カートリッジを、活性炭などを収納した浄水用カートリッジと、食塩などの電解質を収納した電解促進用カートリッジとした。
【００１８】
また、請求項４記載の本発明では、電解促進用カートリッジに定流量手段を設けた。
【００１９】
さらに、請求項５記載の本発明では、処理流路に連通連結したカートリッジが電解促進用カートリッジであるか、浄水用カートリッジであるかを識別する識別手段を具備し、電解促進用カートリッジが装着されたことを識別すると、飲用に適さない強酸性水を生成可能な状態にあることを表示可能とした。
【００２０】
【発明の実施の形態】
本発明に係る水処理装置は、処理流路の中途にカートリッジ連結部を設けた水処理部を内蔵したケーシングに、前記カートリッジ連結部が臨み、かつ、複数種の水処理用カートリッジを選択的に着脱自在としたカートリッジ配設空間を形成したものである。
【００２１】
例えば、上記した水処理部が、アルカリ性水及び酸性水を生成する電解水生成機能と、残留塩素やトリハロメタンなどの飲用に好ましくない物質を除去する浄水機能とを備えるものであって、これらの機能を単一のケーシングに内蔵させる場合、処理流路中に、原水をアルカリ性水と酸性水とに電解する電解槽を配設するとともに、例えば活性炭などを収納した浄水用カートリッジなどを配設する必要がある。
【００２２】
また、電解水のうち、強酸性水を生成して殺菌・消毒などに供される衛生水として使用する場合は、電解槽内の電気伝導度をより高めるために、食塩などの塩素系電解物質を原水中に流入させるための電解質収納タンクを設けることが考えられる。
【００２３】
本実施の形態では、固定的な電解質収納タンクに代えてカートリッジ式の電解促進用カートリッジとするとともに、原水流入部と処理水吐出部とを連通連結した処理流路の中途に、前記浄水用カートリッジと電解促進用カートリッジのうちから選択して連通連結可能なカートリッジ連結部を設け、同カートリッジ連結部を、ケーシングに形成した前記カートリッジ配設空間に臨ませることにより、同カートリッジ配設空間において前記した二種類のカートリッジのうちから選択的に着脱して使用可能な構成としている。
【００２４】
すなわち、浄水、もしくは飲料用のアルカリ性水を必要とする通常の使用時には浄水用カートリッジを取付けておき、強酸性水が必要な場合は、浄水用カートリッジに代えて電解促進用カートリッジを取付けて強酸性水を得るようにするものである。
【００２５】
このように、衛生水のような飲用することのない強酸性水を生成する場合には不要である浄水用カートリッジは取り外されて使用しないで済むので、浄水用カートリッジの無駄使いを防止できる。しかも、もともと水道水は塩素などを含有して電解促進機能を有するものであり、かかる塩素などを浄水用カートリッジで除去しないで済むので電解作用が促進されることになり、強酸性水を生成する場合に浄水用カートリッジと電解促進用カートリッジとを置き換えることは極めて好都合なこととなる。
【００２６】
また、このように、二種類のカートリッジのうちから選択的に着脱して使用可能な構成とした場合、処理流路に連通連結したカートリッジが電解促進用カートリッジであるか、浄水用カートリッジであるかを識別する識別手段を具備させ、電解促進用カートリッジが装着されたことを識別すると、飲用に適さない強酸性水を生成可能な状態にあることを表示可能とすることが望ましい。
【００２７】
すなわち、使用者はその表示によって吐出水が強酸性水であることを認識できるので、誤って飲んでしまうようなことがなくなる。
【００２８】
以上説明したように、本実施の形態によれば、水処理装置をコンパクトなものとすることができ、一般家庭などにおいて設置個所に苦慮することがなくなる。
【００２９】
また、浄水用カートリッジと電解促進用カートリッジなどの複数種の水処理用カートリッジのうち、少なくとも一つにはカートリッジを通過する流量を一定に制御する定流量手段を設けることができる。
【００３０】
電解槽内に流入させる被処理水の量が変動すると、電気伝導度などが変動して安定した電解水を得ることが難しくなり、特に、強酸性水を生成する場合に流量が増加すると電解質濃度が薄くなって所望するpH値を得ることが難しくなることから、上記した例であれば、定流量手段は電解促進用カートリッジに設けることが望ましい。
【００３１】
かかる定流量手段としては弁体からなる簡単な構成のものでよく、これをカートリッジに設けることで、電気的な制御などを行うことなく、安価でコンパクトな構成を保持しながら一定流量に制御することが可能となる。
【００３２】
ところで、上記してきた水処理装置では、処理流路に連通連結して使用する水処理用カートリッジ以外に、使用されない水処理用カートリッジが残ることになるが、前記カートリッジ配設空間を、不使用時のカートリッジを収納可能な大きさに形成して、不使用カートリッジについても同時に保管可能とすることができる。
【００３３】
かかる構成とすれば、カートリッジの保管場所を別途確保する必要がなく、必要時にカートリッジが見当たらないなどの不便さも解消できる。
【００３５】
【実施例】
以下、この発明の実施例を図面に基づき具体的に説明する。
（第１実施例）
図１及び図２は本実施例に係る水処理装置としての電解水生成器の説明図、図３は同電解水生成器の流路を模式的に示した説明図である。
【００３６】
図１及び図２に示すように、本実施例に係る電解水生成器Ａは、水道水などの原水を処理する水処理部１を略箱型のケーシング２内に収納している。３は図示しない蛇口などに直結可能とした原水ホースであり、ケーシング２の底部から伸延している。４は水処理部１で処理した処理水を吐出する吐出ノズルであり、ケーシング２の上面に設けている。
【００３７】
水処理部１は、図３に示すように、前記原水ホース３の終端と接続した原水流入口30と前記吐出ノズル４の吐出口40とをパイプにより連通連結した処理流路Ｒを具備しており、同処理流路Ｒ中に、上流側から順にカートリッジ連結部５、カルシウムケース６、電解槽７を配設している。図３中、R1はカートリッジ連結部５とカルシウムケース６とを連通連結する第１主流路、R2はカルシウムケース６と電解槽７とを連通連結する第２主流路、R3は電解槽７の陽極室70から伸延させた処理水第１吐出流路、R4は電解槽７の陰極室71から伸延させ、前記吐出ノズル４と連通する処理水第２吐出流路、R5は前記第２主流路R2の中途と処理水第１吐出流路R3の中途とを連通連結したバイパス流路であり、中途にボール弁からなる逆止弁Ｖを設けている。また、このバイパス流路R5の逆止弁Ｖ上流側と前記第１主流路R1の中途とを第２バイパス流路R6で連通連結しており、これらの各流路R1〜R6により処理流路Ｒが形成されている。
【００３８】
また、電解槽７は、通常は酸性水を生成する陽極室70と、通常はアルカリ性水を生成する陰極室71とに隔膜72により離隔形成されており、陽極室70の上部に前記処理水第１吐出流路R3の基端を連通連結するとともに、陰極室71の上部に前記処理水第２吐出流路R4を連通連結し、前記処理水第１吐出流路R3の先端開口73は、台所などのシンク（図示せず）などに臨むように伸延させている。
【００３９】
また、図１及び図２に示すように、ケーシング２内には、電解槽７へ通電する電源などを具備した電装部10と、同電装部10に電気的に接続され、ケーシング２の表面に設けられる操作・表示パネルＰの裏側に配設された基板11とを具備しており、操作・表示パネルＰに設けた各種スイッチの操作により、アルカリ性水モードと、酸性水モードと、衛生水モードと、浄水モードと、リフレッシュモードとに運転を切換可能としている。
【００４０】
ここで本実施例におけるアルカリ性水モードとは、飲用に適する３段階のpH値（8.5、9.0、9.5)のアルカリ性水と、料理用などに適するpH値10程度の強アルカリ性水とを生成可能なモードであり、必要に応じて適宜選択して使用可能としている。またこのとき、同時に生成される酸性水は処理水第１吐出流路R3の先端開口73から排出される。
【００４１】
また、酸性水モードとは、洗顔などに適するpH値5.5程度の酸性水を生成可能なモードである。
【００４２】
また、衛生水モードとは、殺菌・消毒用に供されるpH値2.5程度の強酸性水を生成可能なモードであり、かかる衛生水モードを選択した場合は、電解槽７への通電を正負逆転させるようにして、ケーシング２の上面に設けた吐出ノズル４から所望する強酸性水を吐出させるようにしている。このとき、同時に生成される強アルカリ性水は処理水第１吐出流路R3の先端開口73から排出される。
【００４３】
また、浄水モードとは、水道水中の残留塩素やトリハロメタンを除去することができるモードであり、さらに、リフレッシュモードとは、電解槽７への通電の正負を逆転させて逆電解により電解槽７内の洗浄を行うモードである。
【００４４】
また、本実施例では、水処理部１を内蔵したケーシング２に、前記カートリッジ連結部５が臨み、かつ、複数種の水処理用カートリッジを選択的に着脱自在としたカートリッジ配設空間Ｑを形成し（図３参照）、同カートリッジ配設空間Ｑにおいて、図１及び図２に示すように、内部に活性炭などを収納した浄水用カートリッジ８と、図４に示すように、電解槽７内の電気伝導度を高めてよりpH値の高い強電解水を得るために、食塩などの塩素系電解物質を収納した電解促進用カートリッジ９のいずれかを選択的に取付可能としている。そして、これらのカートリッジを介して、実質的に処理流路Ｒが形成されるようにして、浄水と強電解水とをそれぞれ別途に生成吐出可能としている。
【００４５】
かかる構成により、例えば図１〜図３に示すように、浄水用カートリッジ８をカートリッジ連結部５に配設した場合は、同カートリッジ連結部５内に設けた連絡流路51,52と浄水用カートリッジ８とが連通し、前記した操作・表示パネルＰでアルカリ性水モードや酸性水モード、あるいは、浄水モードを選択すれば、飲用や料理用に好適なアルカリ性水や洗顔などに適する酸性水、あるいは、水道水中に含まれる残留塩素やトリハロメタンなどが除去された浄水を得ることができる。
【００４６】
他方、浄水用カートリッジ８に代えて、図４に示すように電解促進用カートリッジ９をカートリッジ連結部５に配設した場合は、上記同様にカートリッジ連結部５内に設けた連絡流路51,52と電解促進用カートリッジ９とが連通し、電解槽７に送られる原水中に食塩などが添加され、通常の酸性水よりもpH値の高い殺菌・消毒用に用いる強酸性水を得ることができるようにしている。
【００４７】
なお、本実施例では、電解促進用カートリッジ９がカートリッジ連結部５に配設された場合は、後に詳述するように、操作・表示パネルＰに衛生水モードであることを表示するようにして、飲用に適さない強酸性水を生成可能な状態にあることを使用者に認識させ、かかる状態で操作・表示パネルＰの衛生水モードを選択することによって、衛生水を得られるようにしている。
【００４８】
したがって、本実施例によれば、衛生水のような飲用することのない強酸性水を生成する場合には、不要である浄水用カートリッジ８は取り外されることになるので、浄水用カートリッジ８の無駄使いを防止でき、カートリッジ寿命をいたずらに縮めることがなくなる。しかも、もともと水道水は塩素などを含有して電解促進機能を有するものであり、かかる塩素などを浄水用カートリッジ８で除去しないで済むので電解作用が促進されることになり、強酸性水を生成する場合に浄水用カートリッジ８と電解促進用カートリッジ９とを置き換えることは極めて好都合なこととなる。
【００４９】
ここで、図５及び図６を参照しながら、衛生水モード時に強酸性水を得る場合に用いる電解促進用カートリッジ９の構成についてより詳細に説明する。
【００５０】
本実施例に係る電解促進用カートリッジ９は、図示するように、円形の皿状に形成した下ケース9aと、同下ケース9aに着脱自在に接合可能な上ケース9bとからなり、両者を接合した状態で内部に必要量の食塩を収容可能としている。そして、前記上ケース9aに、食塩を補充するための回転式蓋体9cを着脱自在に取付けている。98は同回転式蓋体9cの周面に設けたパッキンである。
【００５１】
また、前記したカートリッジ連結部５に設けた連絡流路51,52と対応するように、下ケース9aには、その周縁部側に原水流入用の連通口91を設けるとともに、中央部には食塩が溶解した食塩水を処理流路Ｒ内に流出させるための連通口92を設けている。
【００５２】
さらに、本実施例では、前記連通口91内に、電解促進用カートリッジ９を通過する流量を一定に制御する定流量手段としての弁体90を設けている。
【００５３】
かかる弁体90は、中央にそれぞれ径を異ならせた小孔93,94を設けたゴムなどの弾性素材からなる大小の円板95,96を重合配設し、連通口91内に嵌合したもので、流量に応じて撓んで小孔93,94の径が変異するように構成されている。したがって、原水の流入量が増加すれば小孔93,94が絞られて食塩水の流出量を抑えることができ、食塩水の流出量、すなわち、電解槽７への流入量を可及的に一定流量に保持することができる。
【００５４】
かかる簡単な構成により、特に電解開始時などにおいても電解中の流量を安定させることができ、pH値やイオン濃度、電気伝導度などが安定した所望する強酸性水を得ることができる。
【００５５】
しかも、電解カートリッジ９内に配設可能なので、電解水生成器Ａのコンパクト化と低コスト化に寄与することができる。
【００５６】
さらに、図６に示すように、下ケース9aには、浄水用カートリッジ８と識別できるように、識別手段としての識別用突起97を設けている。
【００５７】
そして、かかる識別用突起97を検出する検出手段を、カートリッジ連結部５に設けることにより、同カートリッジ連結部５に取付けられたカートリッジが電解促進用カートリッジ９であるか、浄水用カートリッジ８であるかを識別可能として、前述したように、電解促進用カートリッジ８が装着された場合は、操作・表示パネルＰに衛生水モードであることを表示して、飲用に適さない強酸性水を生成可能な状態にあることを使用者に認識させるようにしている。
【００５８】
したがって、吐水された強酸性水を浄水などと間違って飲用したりすることを可及的に防止でき、安全である。
【００５９】
次に、本電解水生成器Ａの操作・表示パネルＰを説明しながら、各運転モードについて簡単に説明する。
【００６０】
図７に示すように、操作・表示パネルＰは略正方形に形成され、ケーシング２の一側面に配設されている。
【００６１】
P1は電源ランプであり、表示パネルＰの右隅に設けられており、図示しない運転スイッチがＯＮされて通電状態になると点灯する。
【００６２】
P2はpH・ORP表示部であり、操作・表示パネルＰの上側部に設けられ、アルカリ性水、酸性水などの電解水のpH値もしくはORP値をデジタル表示可能としている。
【００６３】
P3はORP表示切替部であり、pH表示部P2の右側に設けられており、電解水生成中であれば操作ボタンP3'を押しているときだけ、電解水の酸化還元電位を前記pH・ORP表示部P2にてpH値と切換えて表示することができる。
【００６４】
これらの下方左側には、各運転モードの操作スイッチと表示ランプが並設されており、上から順に、強アルカリモードスイッチS1（pH値10.0）、レベル３のアルカリモードスイッチS2（pH値9.5）、レベル２のアルカリモードスイッチS3（pH値9.0）、レベル１のアルカリモードスイッチS4（pH値8.5）、浄水モードスイッチS5、酸性モードスイッチS6が設けられ、各スイッチの横には、それぞれ対応する表示ランプP4〜P9が設けられている。
【００６５】
また、P10は衛生水モード表示ランプであり、前述したように、電解促進カートリッジ９を処理流路Ｒと連通連結した場合は自動的にこのモードに移行し、実際に作動させるためのスイッチは、衛生水が強酸性水であって通常の使用目的とは異なるため、安全のために操作・表示パネルＰと異なる位置に、別途食塩スイッチ（図示せず）として設けている。また、この衛生水モードで強酸性水を生成した後は、自動的にすすぎモードに移行して、処理流路Ｒ内に残っている食塩水を洗い流すようにしている。
【００６６】
また、これらの各モードスイッチ類の右側には、その他の表示ランプが設けられている。
【００６７】
P11はリフレッシュ表示ランプであり、これは、別途設けたリフレッシュボタン（図示せず）の操作によって、前述した逆電解による電解槽７の洗浄時に点灯する。
【００６８】
P12はすすぎ表示ランプであり、衛生水使用後に自動的に移行するすすぎモード時に点灯する。
【００６９】
P13は温度上昇表示ランプであり、電解槽７内の温度が過剰に上昇して電解水生成が自動停止されたときに点灯する。
【００７０】
P14はブザーであり、各スイッチの受け付け時に音を発する。
【００７１】
以上、説明してきたように、本実施例に係る電解水生成器Ａは、強酸性水を生成する場合に必要な電解水用カートリッジ９を必要に応じて着脱できるのようにしたので、浄水生成用のカートリッジと電解質収納タンクなどを処理流路Ｒ中に固定的に設けた他の電解水生成装置に比べてその構成を簡略化することができるとともに、効率的な電解促進を行うことができる。そして、コンパクトな構成でなおかつ低コストなので、一般家庭用として極めて有用となる。
（第２実施例）
次に、図８〜図１０を参照しながら第２実施例に係る電解水生成器Ｂについて説明する。
【００７２】
本実施例で第１実施例と異なるのは、カートリッジ配設空間Ｑを、不使用時のカートリッジについても使用中のカートリッジと同時に収納可能な大きさに形成し、不使用カートリッジも同時に保管可能とした点にある。
【００７３】
すなわち、図８〜図１０に示すように、ケーシング２の一側半部の底部にカートリッジ連結部５を設け、その上方全体をカートリッジ配設空間Ｑとした構成は第１実施例と同様であるが、本実施例では、かかるカートリッジ配設空間Ｑの容積を、大型筒状の浄水用カートリッジ８と、比較的に小容量の電解促進用カートリッジ９とを重ねた状態で収容可能な大きさとしている。
【００７４】
そして、浄水用カートリッジ８を使用する場合は、同浄水用カートリッジ８の頂部に電解促進用カートリッジ９を安定的に載置可能とし（図８及び図９）、逆に、電解促進用カートリッジ９を使用する場合は、図１０に示すように、電解促進用カートリッジ９の頂部に浄水用カートリッジ８を安定的に載置可能としている。
【００７５】
そのために、カートリッジ連結部５を皿状に構成し、その上部内側面に前記した連絡流路51,52の端部開口を臨ませるとともに、これらの各端部開口と対応するように、浄水用カートリッジ８と電解促進用カートリッジ９の底面にそれぞれ連通口81,82,91,92を突設している（図３、図５、図１０参照）。
【００７６】
すなわち、ケーシング２側に設けられたカートリッジ連結部５の連絡流路51,52の端部開口に対応する連通口81,82,91,92を、浄水用カートリッジ８と電解促進用カートリッジ９の各底面にそれぞれ設けて両者の底面構成を共通化することにより、ひとつのカートリッジ連結部５を浄水用カートリッジ８と電解促進用カートリッジ９とで共用可能としている。
【００７７】
このように、本実施例によれば、浄水と電解水の他、衛生水を得ることができる水処理装置をコンパクトに構成することができるとともに、不使用カートリッジ（浄水用カートリッジ８もしくは電解促進用カートリッジ９）の保管場所を別途確保する必要がなく、必要とする時に目的のカートリッジが見当たらないなどの不用意なミスも解消できる。
【００７８】
なお、他の構成については第１実施例と同様であるのでここでの説明は省略する。
【００７９】
以上、実施例を通して本発明を説明したが、本発明は上記実施例に限定されるものではなく、特許請求の範囲の趣旨を逸脱しない限り、設計変更したり、構成要素の置換を行ったりして構わない。
【００８０】
例えば、本実施の形態では、水処理用カートリッジを浄水用カートリッジ８と電解促進用カートリッジ９として説明したが、水処理用カートリッジはこれらに限定されるものではない。
【００８１】
【発明の効果】
（１）請求項１記載の本発明では、処理流路の中途にカートリッジ連結部を設けた水処理部を内蔵したケーシングに、前記カートリッジ連結部が臨み、かつ、複数種の水処理用カートリッジを選択的に着脱自在としたカートリッジ配設空間を形成したことにより、複数の水処理を単一のコンパクトなケーシングからなる水処理装置で行うことができるので、一般家庭などの使用にきわめて好適なものとなすことができる。
また、請求項１記載の本発明では、上記カートリッジ配設空間は、処理流路に連通連結して使用する水処理用カートリッジと、同カートリッジ以外の使用状態にない水処理用カートリッジとを同時に収納可能であることとしたので、不使用カートリッジの保管場所を別途確保する必要がなく、必要とする時に目的のカートリッジが見当たらないなどの不具合も防止することができる。
（２）請求項２記載の本発明では、複数種の水処理用カートリッジの少なくとも一つに、同カートリッジを通過する流量を一定に制御する定流量手段を設けたことにより、流量を制御する必要のある水処理もコンパクトな構成の中で行える。
（３）請求項３記載の本発明では、原水をアルカリ性水と酸性水とに電解する電解槽を具備するとともに、上記した複数種の水処理用カートリッジを、活性炭などを収納した浄水用カートリッジと、食塩などの電解質を収納した電解促進用カートリッジとしたことにより、飲料水となるアルカリ性水や浄水のほか、殺菌・消毒に用いることのできる強酸性水を必要に応じて得ることができ、しかも、かかる複数の機能を有する水処理装置がコンパクトに構成でき、一般家庭への設置が容易となる。
（４）請求項４記載の本発明では、上記電解促進用カートリッジに定流量手段を設けたことにより、一般家庭で必要とされる水道水の浄化と電解水の生成を単一のコンパクトなケーシングからなる水処理装置で行うことができる。
（５）請求項５記載の本発明では、処理流路に連通連結したカートリッジが電解促進用カートリッジであるか、浄水用カートリッジであるかを識別する識別手段を具備し、電解促進用カートリッジが装着されたことを識別すると、飲用に適さない強酸性水を生成可能な状態にあることを表示可能としたので、使用者がその表示を認識することによって、強酸性水を誤って飲んでしまうようなことを防止できる。
【図面の簡単な説明】
【図１】第１実施例に係る水処理装置としての電解水生成器の説明図である。
【図２】第１実施例に係る水処理装置としての電解水生成器の説明図である。
【図３】同電解水生成器の流路を模式的に示した説明図である。
【図４】カートリッジを入れ替えた状態を示す説明図である。
【図５】電解促進用カートリッジの分解斜視図である。
【図６】同カートリッジの断面図である。
【図７】水処理装置の操作パネルの説明図である。
【図８】第２実施例に係る水処理装置としての電解水生成器の説明図である。
【図９】第２実施例に係る水処理装置としての電解水生成器の説明図である。
【図１０】カートリッジを上下入れ替えた状態を示す説明図である。
【符号の説明】
Ａ  電解水生成器（水処理装置）
Ｒ  処理流路
Ｑ  カートリッジ配設空間
１  水処理部
２  ケーシング
５  カートリッジ連結部
７  電解槽
８  浄水用カートリッジ
９  電解促進用カートリッジ
90  弁体（定流量手段）
【図１】
0004226747.tif 000002
【図２】
0004226747.tif 000003
【図３】
0004226747.tif 000004
【図４】
0004226747.tif 000005
【図５】
0004226747.tif 000006
【図６】
0004226747.tif 000007
【図７】
0004226747.tif 000008
【図８】
0004226747.tif 000009
【図９】
0004226747.tif 000010
【図１０】
0004226747.tif 000011